(57)【要約】　　　（修正有）【課題】搭載したカメラのＡＦ機能を補助し、且つ撮影目的に応じた補助光源となる発光部つきの三脚を提供することを課題とする。【解決手段】カメラ台１２の正面には発光部１４が設けられており、カメラ３０の内蔵ストロボ３２に比較して大きなガイドナンバーの発光部を搭載している。カメラ台１２の天面には接点２０が設けられており、カメラ３０を載置する際にカメラ３０側の端子部５０と接続され、レリーズ信号その他の情報をカメラ３０との間で遣り取りすることが出来る。カメラ３０のＡＦ回路が合焦出来ない場合、三脚１０のＡＦ補助回路が働き、プリ発光回路が作動する。被写体を照射したプリ発光をＡＦセンサーが感知し、カメラ３０側に距離情報として返すことによりカメラ３０側のＡＦ回路はレンズ３６を駆動し、フォーカシングを行なう。【選択図】　図１
2004124983.tif 000002
【特許請求の範囲】
【請求項１】
搭載したカメラのレリーズ操作と同期して発光する外部ストロボを備えたカメラ用三脚。
【請求項２】
前記外部ストロボがカメラに備えられた調光手段により撮影目的に応じて調光可能であることを特徴とする請求項１に記載のカメラ用三脚。
【請求項３】
搭載したカメラの内蔵ストロボの発光光に反応して発光する外部ストロボを備えたカメラ用三脚。
【発明の詳細な説明】
【０００１】
【発明の属する技術分野】
本発明はカメラ用三脚に関するものである。
【０００２】
【従来の技術】
従来、ＡＦカメラで撮影する場合、暗い場所で被写体の光量が不足しているとＡＦ機能がうまく働かない場合が多い。撮影時にＡＦ補助光としてＬＥＤなどが発光するカメラも存在するが、実際には補助光機能を備えていないカメラが多く、ＡＦ撮影時の問題となっている。
【０００３】
また、暗い場所で人物をストロボ撮影する際には被写体である人間の虹彩が開くため、網膜にストロボ光が反射して人物の目が赤く光る、いわゆる赤目現象への対策が必要であり外部照明に赤目対策機能を持たせたものも発明されているが（例えば、特許文献１参照）、コスト上の問題もあり全てのカメラが赤目対策機能を備えている訳ではない。
【０００４】
さらに、カメラ内蔵ストロボはフィルムや撮像素子の高感度化、カメラの小型化に伴って小型化され、ガイドナンバーが小さくなる傾向にある。そのため、カメラ内蔵ストロボだけでは撮影時に光量が不足する事態も多い。補助光源を内蔵した三脚も発明されているが、ストロボ撮影時の光量不足に対応するものではない（例えば、特許文献２参照）。
【０００５】
【特許文献１】
特開２００２−２３２３２公報（第２〜４頁）
【特許文献２】
特開平１０−９６９９７号公報（第２〜３頁、第１図、第４図）
【０００６】
【発明が解決しようとする課題】
本発明は上記事実を考慮し、搭載したカメラのＡＦ機能を補助し、且つ撮影目的に応じた補助光源となる発光部つきの三脚を提供することを課題とする。
【０００７】
【課題を解決するための手段】
請求項１に記載のカメラ用三脚は積載したカメラの撮影目的に応じて調光可能な補助光を発する補助光源を備えたことを特徴とする。
【０００８】
上記構成の発明では、たとえば撮影目的として光量の不足している暗い場所で、外部ストロボが補助光を発することで問題なくＡＦ可能となる。また、暗い場所で人物をストロボ撮影する際にも外部ストロボがプリ発光することで赤目現象を防止することができる。
【０００９】
請求項２に記載のカメラ用三脚は搭載したカメラのレリーズ操作と同期して発光する外部ストロボを備えたことを特徴とする。
【００１０】
上記構成の発明では、カメラのレリーズ操作にシンクロして三脚の外部ストロボが発光するので、撮影時の光量不足を解消出来る。
【００１１】
請求項３に記載の三脚は積載したカメラの内蔵ストロボの発光光に反応して発光する外部ストロボを備えたことを特徴とする。
【００１２】
上記構成の発明では、カメラの内蔵ストロボの発光にシンクロして三脚の外部ストロボが発光するため、カメラと三脚の間に電気的な接点を設ける必要がない。
【００１３】
【発明の実施の形態】
図１および図２には、第１形態に係るカメラ用三脚の斜視図が示されている。
【００１４】
図１および図２に示すように三脚１０、はカメラ台１２を含む雲台４０と、センターポール４２、および３本の脚部６０からなる。
【００１５】
カメラ台１２は天面にカメラ３０を載置し、スクリュー１６で固定する。カメラ台１２の天面には接点２０が設けられており、カメラ３０を載置する際にカメラ３０側の端子部５０と接続され、レリーズ信号その他の情報をカメラ３０との間で遣り取りすることが出来る。
【００１６】
カメラ３０を三脚１０上にて撮影に使用するには、摘み２２でスクリュー１６を回転させ、カメラ３０側の三脚穴４６にスクリュー１６を螺合させてカメラ台１２の天面にカメラ３０を固定する。その際、カメラ３０の撮影レンズ３６の光軸と、三脚１０のカメラ台１２の位置関係を正確に規定するための位置決めピン２４がカメラ台１２天面に設けられており、カメラ３０底面の対応する位置に位置決めピン２４が嵌合する位置決め穴４８が設けられている。これによりカメラ３０を三脚１０に載置する際の位置決めが正確に行なえる。
【００１７】
カメラ台１２の正面には発光部１４が設けられており、カメラ３０の内蔵ストロボ３２に比較して大きなガイドナンバーの発光部を搭載している。
【００１８】
またカメラ台１２にはシンクロターミナル２６が設けられており、カメラ３０以外に、端子部５０を備えていない他種のカメラを使用する際にもシンクロコードでシンクロターミナル２６と接続することにより発光部１４を外部光源として使用出来る構造となっている。
【００１９】
さらに、カメラ台１２の正面にはカメラ３０とは独立したＡＦセンサー１８が設けられており、状況に応じてカメラ３０のＡＦ機構と使い分けることが出来る。
【００２０】
ここでカメラ３０のＡＦセンサー３８とレンズ３６の位置関係が、そのままＡＦセンサー１８とレンズ３６の位置関係と等しいため、三脚１０側のＡＦセンサー１８を使用することによるパララックス（視差）の発生を抑えることが可能となる。
【００２１】
また、接点２０を経由してカメラ台１２からカメラ３０にレリーズ信号を伝えられる回路構成とすることで、カメラ台１２にレリーズボタン４４を設けカメラ台１２からカメラ３０をレリーズ可能としてもよい。さらに、パン棒２８内に配線を延長し、パン棒２８先端にレリーズボタン４４を設けてもよい。
【００２２】
図２には、第１形態に係るカメラ用三脚の断面図が示されている。
【００２３】
カメラ３０をカメラ台１２に搭載する際、カメラ３０とカメラ台１２の間で電気信号の遣り取りをする目的で、カメラ台１２の天面に設けられた接点２０がカメラ３０側の端子部５０と接触する。カメラ３０側の端子部５０は通常、カバー５４で保護されており、カバー５４はスライド式または取り外し式だが取り外し式の場合は紛失防止のため、カメラ台１２側に取り外したカバー５４を収納出来るスペースがあれば尚よい。
【００２４】
接点２０は内側から弾性部材５２で押圧されており、通常は接点保護のためスライド式または取り外し式のカバー５６で覆われているが、カバー５６を外すと接点２０は弾性部材５２に押圧され外側へと付勢される。これにより接点２０は確実にカメラ３０の端子部５０と接触する。
【００２５】
カメラ３０の底面に設けられた三脚穴４６に、カメラ台１２の天面に設けられたスクリュー１６を螺合させ、摘み２２を回すことによりスクリュー１６を締め込んでカメラ３０を固定するが、この時カメラ３０とカメラ台１２の位置関係を正確に規制するためカメラ台１２天面に位置決めピン２４が設けられている。
【００２６】
位置決めピン２４がカメラ３０の底面に設けられた位置決め穴４８に嵌合し、スクリュー１６と位置決めピン２４の２点でカメラ３０とカメラ台１２の位置関係を正確に規制する。
【００２７】
位置決めピン２４もまた接点２０と同様に弾性部材５２で外側に押圧されており、外側から押し下げることで容易に押し込むことが出来る。このため、位置決め穴４８を持たない通常のカメラをカメラ台１２に搭載する際にも位置決めピン２４が干渉して邪魔になることがない。
【００２８】
三脚を使用して写真撮影を行う場合、どちらかの手をパン棒２８に添えて置くことが多いが、カメラ３０のレリーズボタン３４が遠くなるとシャッターチャンスを逃しやすい。そこでカメラ台１２にレリーズボタン４４を設け、接点２０と端子部５０を通じてカメラ３０にレリーズ信号を送りカメラ３０をレリーズ出来る構成とする。このとき、パン棒２８内部に信号線を通し、パン棒２８の先端にレリーズボタン４４を設け、パン棒２８を握ったままレリーズできるようにしてもよい。
【００２９】
カメラ台１２の正面にはＡＦセンサー１８が設けられている。カメラ３０をカメラ台１２の正しい位置に固定すると、前記ＡＦセンサー１８の、レンズ３６との位置関係はカメラ３０側のＡＦセンサー３８とレンズ３６との位置関係と等しくなるのでパララックスは発生せず、ＡＦセンサー１８で測距してもカメラ側のＡＦセンサー３８で測距した場合と等しい結果が得られる。
【００３０】
ここで、ＡＦセンサー１８はカメラ３０側のＡＦセンサー３８と同じ方式である必要はなく、例えばカメラ３０側のＡＦセンサー３８が位相差検出式のパッシブＡＦ方式であれば、カメラ台１２側のＡＦセンサー１８は赤外線や超音波式のアクティブ方式であっても良い。
【００３１】
図３には、第１形態に係るカメラ用三脚とカメラのブロック図が示されている。
【００３２】
カメラ３０のＡＦ回路７２が合焦出来ない場合、三脚１０のＡＦ補助回路が働き、プリ発光回路６２が作動する。被写体７０を照射したプリ発光をＡＦセンサー１８が感知し、カメラ３０側に距離情報として返すことによりカメラ３０側のＡＦ回路７２はレンズ３６を駆動し、フォーカシングを行なう。
【００３３】
また、カメラ３０内の距離判別回路７６がＡＦ回路７２からの距離情報によりカメラ３０の内蔵ストロボ３２では光量不足と判断した場合、三脚１０の補助光調整機能が働き、ストロボ制御回路６４がストロボ１４を駆動し被写体７０を照射する。被写体７０からの反射光を、三脚１０の調光センサー６６またはカメラ３０の内部調光センサーによって測光し、ストロボ制御回路６４に測光情報として返す。
【００３４】
このとき、カメラ３０の内部調光センサーを使用すればＴＴＬ自動調光となり調光精度が高くなるが、三脚１０側にも調光センサー６６を設けておくことで、カメラ３０以外の他機種カメラでも自動調光外部ストロボとして使用することができる。
【００３５】
図４には、第１形態に係るカメラ用三脚の動作を表すフロー図が示されている。
【００３６】
まずステップ８０でカメラ３０を三脚１０に搭載して接点２０と端子部５０が接触するとカメラ３０側で三脚１０を認識する。
【００３７】
次いでステップ８２ではストロボ撮影モードに設定されているか否かの判定がなされ、ストロボを必要としない明るさであれば、ステップ９４でそのまま撮影を行なう。
【００３８】
ストロボ撮影を行なう場合はステップ８４でカメラ３０の内蔵ＡＦ機能で合焦するか否かの判定が行なわれる。合焦すればそのままステップ９４で撮影が行なわれる。
【００３９】
合焦しない場合はステップ８６で、三脚１０側でプリ発光を行ない合焦の補助とする。ここで合焦した結果ステップ８８で測距データを得る。この測距データによりステップ９０で被写体がカメラ内蔵ストロボの有効範囲内であるか否かの判定を行なう。
【００４０】
有効範囲内であればステップ９４で撮影を行ない、有効範囲になければステップ９２で三脚１０のストロボが発光し、ステップ９４で撮影を行なう。
【００４１】
図５には、第２形態に係るカメラ用三脚の斜視図が示されている。
【００４２】
図５に示すように三脚１１の脚部６０には発光部１４が設けられており、脚部６０の開脚角度を調節する、または丸パイプ状の形状である脚部６０の周りで発光部１５をある程度回動させることによって、発光部１５の照射方向を調整することが出来る。
【００４３】
カメラ３０と三脚１１は、カメラ台１２に設けられた接点２０とカメラ３０に設けられた端子部５０によってレリーズ信号を遣り取りし、カメラ３０をレリーズすると発光部１５が連動して発光し、ストロボ撮影を行なう。
【００４４】
このとき、カメラ３０側の自動調光機能により発光部１５を制御することで、ＴＴＬ自動調光となる。
【００４５】
また、三脚１１側にシンクロ接点と調光センサ、調光回路を設けることでカメラ３０以外に端子部５０を備えていない他機種のカメラを使用して自動調光撮影を行うこともできる。
【００４６】
さらに、自動調光を行わない場合はカメラ３０と三脚１１の間に電気的接続は必要ないので、ストロボ発光に反応して発光するスレーブユニットとして発光部１５を使用してもよい。
【００４７】
さらに、光量の大きい発光部１５を使用するために必要なバッテリ−収納部を脚部６０内に設け、脚部６０内に収納したバッテリーから発光部１５およびカメラ３０に電源を供給してもよい。
【００４８】
【発明の効果】
本発明は上記構成としたので搭載したカメラのＡＦ機能を補助し、且つ撮影目的に応じた補助光源となる発光部つきの三脚を提供することができた。
【図面の簡単な説明】
【図１】本実施形態１に係るカメラ用三脚の斜視図である。
【図２】本実施形態１に係るカメラ用三脚の断面図である。
【図３】本実施形態１に係るカメラ用三脚とカメラのブロック図である。
【図４】本実施形態１に係るカメラ用三脚とカメラの動作を説明するフロー図である。
【図５】本実施形態２に係るカメラ用三脚の斜視図である。
【符号の説明】
１０　　三脚
１２　　カメラ台
１４　　発光部
１６　　スクリュー
１８　　ＡＦセンサー
２０　　接点
３０　　カメラ
３４　　レリーズボタン
３６　　レンズ
４０　　雲台
４４　　レリーズボタン
３６　　回転位置センサ
５０　　端子部
６０　　脚部
【図１】
2004124983.tif 000003
【図２】
2004124983.tif 000004
【図３】
2004124983.tif 000005
【図４】
2004124983.tif 000006
【図５】
2004124983.tif 000007